(57)【要約】      （修正有）【課題】かつら本体を容易に着脱させることができ、かつら本体が外れたりずれたりしにくいかつら用留め具および留め具付きかつらを提供する。【解決手段】本体側留め具２３が、メス側ホックから成って、かつら本体１１の裏側に取り付けられている。頭側留め具２４が、本体側留め具２３のメス側ホックと着脱可能なオス側ホックから成る。頭側留め具２４は、頭髪３を挿入させて頭髪３に取り付けるための貫通孔を有している。頭側留め具２４は、貫通孔で頭髪３に取り付けられて、頭１に取り付けられる。【選択図】図１
0003116331.tif 000002
【実用新案登録請求の範囲】
【請求項１】
かつら本体に取り付けるための本体側留め具と、頭に取り付けるための頭側留め具とを有し、
前記頭側留め具は、前記本体側留め具と着脱可能な構成を有し、頭髪を挿入させて頭髪に取り付けるための貫通孔を有することを、
特徴とするかつら用留め具。
【請求項２】
請求項１記載のかつら用留め具と、かつら本体とを有し、
前記本体側留め具はメス側ホックから成って前記かつら本体の裏側に取り付けられ、前記頭側留め具は前記メス側ホックと着脱可能なオス側ホックから成ることを、特徴とする留め具付きかつら。
【考案の詳細な説明】
【技術分野】
【０００１】
本考案は、かつら用留め具および留め具付きかつらに関する。
【背景技術】
【０００２】
従来、かつらを頭に取り付けるには、両面テープやかつら用接着剤を使用して、かつらを頭皮や頭髪に接着するのが一般的である。また、かつら用の固定ピンにより、かつらを頭に残っている頭髪に取り付けることも行われている。
【考案の開示】
【考案が解決しようとする課題】
【０００３】
しかしながら、両面テープで接着する方法では、汗などによりかつらがずれやすいという課題があった。かつら用接着剤で接着する方法では、かつらを取り外すとき除去剤で接着剤を取り除く必要があり、手間がかかるという課題があった。また、固定ピンで取り付ける方法では、激しく動いたときに外れたり、ずれたりするおそれがあるという課題があった。
【０００４】
本考案は、このような従来の課題に着目してなされたもので、かつら本体を容易に着脱させることができ、かつら本体が外れたりずれたりしにくいかつら用留め具および留め具付きかつらを提供することを目的とする。
【課題を解決するための手段】
【０００５】
上記目的を達成するために、本考案に係るかつら用留め具は、かつら本体に取り付けるための本体側留め具と、頭に取り付けるための頭側留め具とを有し、前記頭側留め具は、前記本体側留め具と着脱可能な構成を有し、頭髪を挿入させて頭髪に取り付けるための貫通孔を有することを、特徴とする。
【０００６】
本考案に係るかつら用留め具は、まず、本体側留め具をかつら本体に取り付け、頭側留め具を頭に取り付ける。このとき、頭側留め具の貫通孔に頭髪を挿入させて、頭側留め具を容易かつ確実に頭髪に取り付けることができる。本体側留め具を頭側留め具に留めれば、かつら本体を頭に装着することができる。本体側留め具を頭側留め具にしっかりと留めることにより、激しい運動をしたり汗をかいたりしても、かつら本体が外れたりずれたりしにくい。また、本体側留め具を頭側留め具から取り外すことにより、かつら本体を頭から取り外すことができる。このように、本体側留め具と頭側留め具とを着脱させることにより、かつら本体を容易に着脱させることができる。
【０００７】
本体側留め具および頭側留め具は、プラスチックなどの非金属製であることが好ましい。この場合、病院のＭＲＩ検査やレントゲン検査、空港の金属探知器による検査などで検出されるのを防ぐことができ、プライバシーを保護することができる。また、金属アレルギーが発症するのを防ぐこともできる。
【０００８】
本考案に係る留め具付きかつらは、本考案に係るかつら用留め具と、かつら本体とを有し、前記本体側留め具はメス側ホックから成って前記かつら本体の裏側に取り付けられ、前記頭側留め具は前記メス側ホックと着脱可能なオス側ホックから成ることを、特徴とする。
【０００９】
本考案に係る留め具付きかつらは、まず、頭側留め具を頭に取り付ける。このとき、頭側留め具の貫通孔に頭髪を挿入させて、頭側留め具を容易かつ確実に頭髪に取り付けることができる。かつら本体の裏側に取り付けられた本体側留め具を頭側留め具に留めれば、かつら本体を頭に装着することができる。このとき、本体側留め具がメス側ホックから成り、頭側留め具がメス側ホックと着脱可能なオス側ホックから成るため、本体側留め具を頭側留め具にしっかりと留めることができ、激しい運動をしたり汗をかいたりしても、かつら本体が外れたりずれたりしにくい。また、本体側留め具を頭側留め具から取り外すことにより、かつら本体を頭から取り外すことができる。このように、本体側留め具と頭側留め具とを着脱させることにより、かつら本体を容易に着脱させることができる。
【考案の効果】
【００１０】
本考案によれば、かつら本体を容易に着脱させることができ、かつら本体が外れたりずれたりしにくいかつら用留め具および留め具付きかつらを提供することができる。
【考案を実施するための最良の形態】
【００１１】
以下、図面に基づき本考案の実施の形態について説明する。
図１乃至図４は、本考案の実施の形態のかつら用留め具および留め具付きかつらを示している。
図１乃至図３に示すように、留め具付きかつら１０は、かつら本体１１とかつら用留め具１２とを有している。
【００１２】
図１に示すように、かつら本体１１は、メッシュ生地から成るベース部２１と、そのベース部２１の表面側に取り付けられた毛髪２２とを有している。ベース部２１は、頭１の装着部２の形状に合わせた形に形成されている。
【００１３】
図２および図３に示すように、かつら用留め具１２は、プラスチック製で、本体側留め具２３と頭側留め具２４とを有している。図２に示すように、本体側留め具２３は、メス側ホックから成り、中央に受け穴２５を有している。本体側留め具２３は、かつら本体１１の裏側に、その縁部に沿って所定の間隔で取り付けられている。
【００１４】
図３に示すように、頭側留め具２４は、オス側ホックから成り、中央に本体側留め具２３の受け穴２５に嵌合可能な突起２６を有している。頭側留め具２４は、本体側留め具２３のメス側ホックと着脱可能になっている。頭側留め具２４は、側方に突出した取付部２７を有し、取付部２７の中央に頭髪３を挿入させて頭髪３に取り付けるための貫通孔２８を有している。貫通孔２８は、円形で、取付部２７の厚さ方向に貫通して形成されている。
【００１５】
次に、作用について説明する。
図１に示すように、留め具付きかつら１０は、まず、頭側留め具２４を頭１に取り付ける。頭側留め具２４を、頭１の装着部２の周囲に沿って、かつら本体１１に取り付けられた本体側留め具２３の位置に対応する位置に取り付ける。このとき、頭側留め具２４の貫通孔２８に頭髪３を挿入させて、頭側留め具２４を容易かつ確実に頭髪３に取り付けることができる。
【００１６】
かつら本体１１の裏側に取り付けられた本体側留め具２３の受け穴２５に、頭側留め具２４の突起２６を嵌合させて、本体側留め具２３を頭側留め具２４に留めれば、かつら本体１１を頭１に装着することができる。このとき、本体側留め具２３がメス側ホックから成り、頭側留め具２４がメス側ホックと着脱可能なオス側ホックから成るため、本体側留め具２３を頭側留め具２４にしっかりと留めることができ、激しい運動をしたり汗をかいたりしても、かつら本体１１が外れたりずれたりしにくい。
【００１７】
また、本体側留め具２３の受け穴２５から頭側留め具２４の突起２６を外して、本体側留め具２３を頭側留め具２４から取り外すことにより、かつら本体１１を頭１から取り外すことができる。このように、本体側留め具２３と頭側留め具２４とを着脱させることにより、かつら本体１１を容易に着脱させることができる。
【００１８】
本体側留め具２３および頭側留め具２４はプラスチック製で非金属のため、病院のＭＲＩ検査やレントゲン検査、空港の金属探知器による検査などで検出されるのを防ぐことができ、プライバシーを保護することができる。また、金属アレルギーが発症するのを防ぐこともできる。
【００１９】
なお、貫通孔２８は、頭髪３を挿入して確実に頭髪３に取付け可能であれば、いかなる大きさ、いかなる形状であってもよい。例えば、図４（ａ）に示すように、三日月形状であってもよく、また、図４（ｂ）に示すように、小さい三日月形状であってもよい。貫通孔２８が三日月形状の場合には、貫通孔２８の細くなった端部で頭髪３を束ねて、取付部２７に取付け容易にすることができる。
なお、頭髪３が伸びてきた場合には、取付部２７への頭髪３の取付け位置を調整すれば、最適の使用状態を保つことができる。
【図面の簡単な説明】
【００２０】
【図１】本考案の実施の形態のかつら用留め具および留め具付きかつらの使用状態を示す斜視図である。
【図２】本考案の実施の形態のかつら用留め具の本体側留め具を示す（ａ）平面図、（ｂ）側面図である。
【図３】本考案の実施の形態のかつら用留め具の頭側留め具を示す（ａ）平面図、（ｂ）側面図である。
【図４】図３に示すかつら用留め具の頭側留め具の（ａ）第１の変形例を示す平面図、（ｂ）第２の変形例を示す平面図である。
【符号の説明】
【００２１】
１    頭
２    装着部
３    頭髪
１０  留め具付きかつら
１１  かつら本体
１２  かつら用留め具
２１  ベース部
２２  毛髪
２３  本体側留め具
２４  頭側留め具
２５  受け穴
２６  突起
２７  取付部
２８  貫通孔
【図１】
0003116331.tif 000003
【図２】
0003116331.tif 000004
【図３】
0003116331.tif 000005
【図４】
0003116331.tif 000006